(57)【要約】    【課題】  ユーザが気になったチャンネルに簡単な操作で素早く戻ることができるＤＴＶ装置及びＤＴＶ装置制御用プログラム並びにリモコンを提供する。    【解決手段】  所定時間を超えて過去に視聴していた複数の番組のチャンネル情報、及び、ザッピングの途中で興味を持った複数の番組のチャンネル情報が複数記憶され、ユーザがザッピング操作を行った後、戻るボタンを押下すると、当該記憶されたチャンネル情報が実際にＤＴＶ装置１０１の選択するチャンネルとして設定され、当該チャンネル情報に対応する番組がモニタ３１１の画面上に表示される。【選択図】      図７
2005124104.tif 000002
【特許請求の範囲】
【請求項１】
チャンネルを選局し番組を視聴する際に、当該番組の視聴時間を計時するタイマ手段と、前記計時されたタイマ手段の値が所定値を超えた際に当該チャンネルの情報を複数蓄積する蓄積手段と、前記蓄積されたチャンネルを選局するように指示を出力するチャンネル選局指示手段と、前記チャンネル選局指示手段からの指示を受けて、前記蓄積されたチャンネルの情報に基づきチャンネルの選局を行うチャンネル選局手段とを備えることを特徴とするＤＴＶ装置。
【請求項２】
前記蓄積手段は、前記チャンネルの情報を蓄積する際に、複数のチャンネルの情報を順次入れ替え可能なテーブルで蓄積するテーブル手段を備え、前記チャンネル選局手段は前記テーブル手段に蓄積されたチャンネルの情報に基づきチャンネルの選局を順次行うことを特徴とする請求項１記載のＤＴＶ装置。
【請求項３】
前記タイマ手段はコマーシャルの視聴時間を除外して番組の視聴時間を計時することを特徴とする請求項１又は２記載のＤＴＶ装置。
【請求項４】
前記蓄積手段は、視聴中の番組のジャンル及びサブジャンルの情報を取得する取得手段を備え、前記チャンネル選局手段は、当該取得されたジャンル及びサブジャンルの情報を有する放送中の番組であって、前記視聴中の番組とは異なる他の番組のチャンネルを選局することを特徴とする請求項１乃至３のいずれか１項記載のＤＴＶ装置。
【請求項５】
選局可能な複数のチャンネルを一定時間毎に順次１つずつ選局する連続ザッピング手段と、前記連続ザッピング手段によるチャンネルの選局の最中に、前記連続ザッピング手段により選局されたチャンネルの情報を前記蓄積手段に記憶させることを指示するチャンネル情報記憶指示手段とを備え、前記蓄積手段は前記チャンネル情報記憶指示手段に指示されたチャンネルの情報を記憶することを特徴とする請求項１乃至４のいずれか１項記載のＤＴＶ装置。
【請求項６】
前記テーブル手段が蓄積する複数のチャンネルの情報に基づいて、複数のチャンネルを一定時間毎に順次１つずつ選局することを特徴とする請求項２乃至５のいずれか１項記載のＤＴＶ装置。
【請求項７】
前記チャンネル選局指示手段を備え、請求項１記載のＤＴＶ装置と共に使用されることを特徴とするリモコン。
【請求項８】
前記チャンネル情報記憶指示手段を備え、請求項５記載のＤＴＶ装置と共に使用されることを特徴とするリモコン。
【請求項９】
ネットワーク又は記憶媒体を介してＤＴＶ装置に組み込まれるプログラムにおいて、チャンネルを選局し番組を視聴する際に、当該番組の視聴時間を計時するタイマ工程と、前記タイマ工程により計時された値が所定値を超えた際に当該チャンネルの情報を複数蓄積する蓄積工程と、前記蓄積されたチャンネルを選局するように指示を出力するチャンネル選局指示工程と、前記チャンネル選局指示工程からの指示を受けて、前記蓄積されたチャンネルの情報に基づきチャンネルの選局を行うチャンネル選局工程とを前記ＤＴＶ装置に実行させることを特徴とするＤＴＶ装置制御用プログラム。
【発明の詳細な説明】
【技術分野】
【０００１】
本発明は、ＤＴＶ装置及びＤＴＶ装置制御用プログラム並びにリモコン、特にリモコンによるチャンネルの選局を快適に行うことが可能なＤＴＶ装置及びＤＴＶ装置制御用プログラム並びにリモコンに関する。
【背景技術】
【０００２】
従来より、ＤＴＶ（Digital Television）装置においては、リモコン装置を用いて選局を行う際に、各種デジタル放送の普及に伴うチャンネル数の増大に対して、少しでも選局操作を快適に行うために、チャンネルのアップダウンダウンボタンによる選局、プリセットボタンによる選局、チャンネル番号を直接入力するダイレクト選局、図１６に示すような電子プログラムガイド（ＥＰＧ（Electronic Program Guide））による選局、チャンネルリストからの選局、裏番組リストからの選局、チャンネルインデックス画面からの選局、又は図１７に示すような番組画面を表示しつつ番組リスト表示による選局等の様々な選局手段が用意されている。
【０００３】
アップダウンボタンやプリセットボタンによる選局は、リモコンの限られた特定のキーを操作することで、実際に番組を見ながら選局する、いわゆるザッピング視聴を行いながら選局できるために、通常、ユーザに最も良く操作される選局方法となっている。このアップダウンボタンによる選局の際には、リモコン装置のチャンネルアップボタンとチャンネルダウンボタンの間（指のホームポジション）に指を置き、チャンネルのアップ又はチャンネルのダウンを指の微少な移動で行い、選局をすることが可能である。
【０００４】
また、プリセットボタンによる選局は、通常「１」から「１２」までのリモコン装置のボタンに予め割り当てられたチャンネルを、ボタンを押すだけで直接呼び出すことができ、チャンネルアップダウンボタンの場合と同様に、プリセットボタンの中央、例えば「５」の位置をホームポジションとして指を置き、概略、周囲のボタンを押すことで、次々に異なるチャンネルを選局することが可能である。
【０００５】
このように、各種の選局手段が用意されているＤＴＶ装置においても、ユーザがいわゆる家電として気軽にＤＴＶ装置を使用する際には、従来からの選局方法を選択することが一般的である。
【０００６】
また、カラーテレビやＶＴＲ等に使用される、放送の有るチャンネルを選局する自動選局プリセット機能付の選局装置が知られている（例えば、特許文献１参照）
【特許文献１】特開平５−２２６９７８号公報
【発明の開示】
【発明が解決しようとする課題】
【０００７】
しかしながら、ＤＴＶ装置においてユーザが上述のザッピング操作を行う場合、多数のチャンネルの中からユーザが所望のチャンネルの選択を行う必要があるため、ユーザは途中で見たいチャンネルが現れた際にも、取り敢えず、先のチャンネルに次々と進んで見ることを行う。結果として、前に発見したチャンネルが、ユーザが一番望んでいたチャンネルであった場合には、現在のチャンネルを所望のチャンネルまで延々と戻すための面倒な操作が必要であった。
【０００８】
また、チャンネルを戻す際、画面の情報のみを記憶していた場合には、先に発見したチャンネルがＣＭ放映の最中であるとき、又はたまたま別の映像の放送中であるときには、先に発見したチャンネルを識別できず、チャンネルに戻れないという問題もあった。
【０００９】
さらには、戻るべきチャンネル番号を記憶している場合であっても、様々なチャンネルを経由して戻る際に、番組に注意を取られ、チャンネルの番号を忘れたり、間違えてしまうという問題もあった。
【００１０】
本発明は、上記問題点を解決するためになされたもので、ユーザが気になったチャンネルに簡単な操作で素早く戻ることができるＤＴＶ装置及びＤＴＶ装置制御用プログラム並びにリモコンを提供することを目的とする。
【課題を解決するための手段】
【００１１】
上記目的を達成するため、請求項１のＤＴＶ装置は、チャンネルを選局し番組を視聴する際に、当該番組の視聴時間を計時するタイマ手段と、前記計時されたタイマ手段の値が所定値を超えた際に当該チャンネルの情報を複数蓄積する蓄積手段と、前記蓄積されたチャンネルを選局するように指示を出力するチャンネル選局指示手段と、前記チャンネル選局指示手段からの指示を受けて、前記蓄積されたチャンネルの情報に基づきチャンネルの選局を行うチャンネル選局手段とを備えることを特徴とする。
【００１２】
請求項２のＤＴＶ装置は、請求項１記載のＤＴＶ装置において、前記蓄積手段は、前記チャンネルの情報を蓄積する際に、複数のチャンネルの情報を順次入れ替え可能なテーブルで蓄積するテーブル手段を備え、前記チャンネル選局手段は前記テーブル手段に蓄積されたチャンネルの情報に基づきチャンネルの選局を順次行うことを特徴とする。
【００１３】
請求項３のＤＴＶ装置は、請求項１又は２記載のＤＴＶ装置において、前記タイマ手段はコマーシャルの視聴時間を除外して番組の視聴時間を計時することを特徴とする。
【００１４】
請求項４のＤＴＶ装置は、請求項１乃至３のいずれか１項記載のＤＴＶ装置において、前記蓄積手段は、視聴中の番組のジャンル及びサブジャンルの情報を取得する取得手段を備え、前記チャンネル選局手段は、当該取得されたジャンル及びサブジャンルの情報を有する放送中の番組であって、前記視聴中の番組とは異なる他の番組のチャンネルを選局することを特徴とする。
【００１５】
請求項５のＤＴＶ装置は、請求項１乃至４のいずれか１項記載のＤＴＶ装置において、選局可能な複数のチャンネルを一定時間毎に順次１つずつ選局する連続ザッピング手段と、前記連続ザッピング手段によるチャンネルの選局の最中に、前記連続ザッピング手段により選局されたチャンネルの情報を前記蓄積手段に記憶させることを指示するチャンネル情報記憶指示手段とを備え、前記蓄積手段は前記チャンネル情報記憶指示手段に指示されたチャンネルの情報を記憶することを特徴とする。
【００１６】
請求項６のＤＴＶ装置は、請求項２乃至５のいずれか１項記載のＤＴＶ装置において、前記テーブル手段が蓄積する複数のチャンネルの情報に基づいて、複数のチャンネルを一定時間毎に順次１つずつ選局することを特徴とする。
【００１７】
請求項７のリモコンは、前記チャンネル選局指示手段を備え、請求項１記載のＤＴＶ装置と共に使用されることを特徴とする。
【００１８】
請求項８のリモコンは、前記チャンネル情報記憶指示手段を備え、請求項５記載のＤＴＶ装置と共に使用されることを特徴とする。
【００１９】
請求項９のＤＴＶ装置制御用プログラムは、ネットワーク又は記憶媒体を介してＤＴＶ装置に組み込まれるプログラムにおいて、チャンネルを選局し番組を視聴する際に、当該番組の視聴時間を計時するタイマ工程と、前記タイマ工程により計時された値が所定値を超えた際に当該チャンネルの情報を複数蓄積する蓄積工程と、前記蓄積されたチャンネルを選局するように指示を出力するチャンネル選局指示工程と、前記チャンネル選局指示工程からの指示を受けて、前記蓄積されたチャンネルの情報に基づきチャンネルの選局を行うチャンネル選局工程とを前記ＤＴＶ装置に実行させることを特徴とする。
【発明の効果】
【００２０】
以上詳細に説明したように、請求項１記載のＤＴＶ装置及び請求項９記載のＤＴＶ装置用制御プログラムによれば、所定時間を超えて視聴された番組のチャンネルの情報が複数蓄積され、チャンネルの選局が指示され、該蓄積されたチャンネルの情報に基づきチャンネルの選局が実行されるので、ザッピング操作により、ユーザが複数回チャンネルを変更した後でも、ユーザが気になった複数の番組のチャンネルに簡単な操作で素早く戻ることができ、番組の視聴中断を最小限に留め、所望の番組の視聴を続けることが可能となる。
【００２１】
請求項３記載のＤＴＶ装置によれば、タイマ手段はコマーシャルの視聴時間を除外して番組の視聴時間を計時するので、より正確にユーザの望むチャンネルへと戻ることが可能となる。
【００２２】
請求項４記載のＤＴＶ装置によれば、ユーザが一度見つけた興味ある番組について、他の同じジャンル及びサブジャンルの番組を容易に見比べることができ、よりユーザの見たい番組をユーザに選択させることが可能となる。
【００２３】
請求項５記載のＤＴＶ装置によれば、少ない操作でユーザがザッピングの最中に気になったチャンネルに簡単に戻ることが可能となる。
【発明を実施するための最良の形態】
【００２４】
以下、本発明の実施の形態を図面を参照して説明する。
【００２５】
（第１の実施の形態）
図１は、本発明の第１の実施の形態に係るＤＴＶ装置の概略図である。
【００２６】
同図において、符号１０１はＤＴＶ装置本体を示し、符号１０２はＤＴＶ装置１０１を操作するリモコンを示し、符号１０３，１０５は各種放送を受信するためのアンテナを示し、符号１０４はＤＴＶ装置１０１へ電力を供給するための電線等を示す。
【００２７】
図２は、図１におけるリモコン１０２の概略構成を示す図である。
【００２８】
リモコン１０２は、ＤＴＶ装置１０１の各種設定メニュー画面を操作するための上下左右移動ボタン２０２〜２０５及び中央の実行ボタン２０６と、デジタル放送時のデータ放送に用いられるカラーボタン２０７と、チャンネルをアップダウンさせるためのチャンネルアップダウンボタン２０８と、ＤＴＶ装置１０１の音量を制御するための音量アップダウンボタン２０９と、元の視聴チャンネルに戻るための戻りボタン２１０とを備えている。
【００２９】
図３は、図１におけるＤＴＶ装置１０１の内部構成を示すブロック図である。
【００３０】
ＤＴＶ装置１０１は、デジタル放送電波を受信するアンテナ３０１と、アンテナ３０１から受信された電波を選局し、かつ同調するためのチューナ３０２と、選局された電波を復調し信号に変換する復調回路３０３と、復調された信号からＴＳ信号を分離するＴＳデコーダ回路３０４と、分離されたＴＳ信号より映像デコードを行う映像デコーダ回路３０５と、ＴＳ信号より音声デコードを行う音声デコーダ回路３０６と、ＴＳ信号よりデータ放送のデコードを行うデータ放送デコーダ回路３０７と、ＤＴＶ装置１０１の各種制御装置（不図示）からの情報を表示するＯＳＤ回路３０８と、各種アプリケーション３０９と、作成された各種映像情報を合成して出力する画像合成部３１０と、ＤＴＶ装置１０１の表示画面となるモニタ３１１と、ＤＴＶ装置１０１の各種制御のためのプログラム、搭載されたアプリケーションのプログラム及び各種データを格納するＲＯＭ３１２と、これらのプログラムやデータを一時的に格納し、さらに、上記アプリケーションを動作させるためのワークエリアとなるＲＡＭ３１３と、ＤＴＶ装置１０１の各種制御及びアプリケーションを実行するＣＰＵ３１４と、ＤＴＶ装置１０１と外部機器（不図示）との通信を行うモデム３１５と、不図示のＩＣカードを読み取り、ＤＴＶ装置１０１の限定受信動作を行う際の認証動作又は外部機器（不図示）との各種情報のやり取りを行うＩＣカード装置３１６と、ＤＴＶ装置１０１の各回路ブロック間の情報伝達を行うバス３１７と、ＤＴＶ装置１０１に接続された外部機器（不図示）との間で画像データを含む高速なデータの通信を行うインターフェース回路３１８とを備えている。
【００３１】
ＲＡＭ３１３は後述する視聴したチャンネルの情報（以下「チャンネル情報」という）の履歴を記憶するための履歴記憶領域を備えている。このチャンネルの履歴は、チャンネルが一定時間（後述する履歴記憶判定時間）を超えて変更されないときに限り、履歴記憶領域に記憶される。ＲＯＭ３１２は後述する履歴記憶判定時間（例えば、３０秒間）を記憶するが、この時間は、ユーザが自由に設定変更できるものとする。ＣＰＵ３１４は不図示の履歴記憶判定タイマを備え、ユーザが視聴したチャンネルの視聴時間を計時する。
【００３２】
チューナ３０２と、復調回路３０３と、ＴＳデコーダ回路３０４と、デコーダ回路３０７と、ＯＳＤ回路３０８と、各種アプリケーション３０９と、画像合成部３１０と、ＲＯＭ３１２と、ＲＡＭ３１３と、ＣＰＵ３１４と、モデム３１５と、ＩＣカード装置３１６は、それぞれバス３１７に接続されている。
【００３３】
ＤＴＶ装置１０１は、リモコン１０２から各種コマンドを受信する。
【００３４】
図４は、ユーザがザッピング操作（チャンネルをリモコンで次々に変える操作）を実行したときに、各チャンネルに対応する映像例と各チャンネルの視聴時間との関係を模式的に示す図である。より具体的には、図４はユーザがザッピング操作を開始し、チャンネルを変えようとする時点で見ていた番組のチャンネルＢＳＤ０５から、リモコン１０２のチャンネルアップダウンボタン２０８のチャンネルアップボタンを操作することにより、チャンネルＢＳＤ０６、チャンネルＢＳＤ０７、チャンネルＢＳＤ０８へとチャンネルを移動する様子をＤＴＶ装置１０１の画面を用いて示したものである。
【００３５】
同図において、符号４０１は今までユーザが視聴していた番組画面を示しており、符号４０２〜４０４は、ユーザのザッピング操作によりチャンネルが変更された際の夫々の番組画面を示している。符号４０５〜４０７はリモコン１０２のチャンネルアップボタン２０８の操作を表しており、さらに、符号４０８〜４１１はユーザが夫々のチャンネルにおいて視聴した視聴時間を模式的に示したものである。また、符号４１２は符号４０８〜４１１と同じスケールで表された履歴記憶判定時間の長さを模式的に示しており、符号４１３はリモコン１０２の戻りボタン２１０の操作を示しており、符号４１４はその結果としてチャンネルが切り替わり、表示された番組を示している。
【００３６】
次に、ＤＴＶ装置１０１が実行する履歴記憶タスク処理及び所望のチャンネルに戻るための元チャンネル処理を説明する。これらの処理は主として、ＲＯＭ３１２に記憶されたプログラムをＣＰＵ３１４が実行することでなされる。
【００３７】
図５はＤＴＶ装置１０１が実行する履歴記憶タスク処理を示すフローチャートであり、図６はＤＴＶ装置１０１が実行する所望のチャンネルに戻るための元チャンネル処理を示すフローチャートである。これらの処理は、ＤＴＶ装置１０１の起動時からバックグラウンドで常に実行可能になっている。
【００３８】
まず、ユーザがリモコン１０２の電源スイッチを操作し、図４の符号４０１で示すように、チャンネルＢＳＤ０５（尚、このチャンネル番号は一例にすぎない。）において、番組の視聴を開始すると、リモコン１０２の電源スイッチの操作と共に本処理がスタートし、履歴記憶領域のチャンネル情報がクリアされる（ステップＳ５０１）。このチャンネル情報は本処理のリセットがかかるまで履歴記憶領域に記憶される。
【００３９】
次いで、現在視聴中の番組のチャンネル情報、即ちＢＳＤ０５が取得され（ステップＳ５０２）、履歴記憶判定タイマがリセットされ（ステップＳ５０３）、履歴記憶判定タイマがスタートされる（ステップＳ５０４）。
【００４０】
次に、履歴記憶判定タイマの計数値が一定時間、ここでは、図４の履歴記録判定時間４１２（例えば３０秒間）を超えたか否かが判別され（ステップＳ５０５）、番組の視聴が開始されたばかりの場合は、履歴記録判定時間４１２を超えないため、ステップＳ５０６に進み、チャンネルが変更されたか否かが判別される（ステップＳ５０６）。
【００４１】
ステップＳ５０６の判別の結果、チャンネルが変更されていない場合、即ち、引き続きチャンネルＢＳＤ０５の番組が視聴されている場合は、ステップＳ５０５に戻る。つまり、同じチャンネルの番組が視聴されている場合には、ステップＳ５０５からステップＳ５０６を繰り返し、チャンネルＢＳＤ０５の視聴時間４０８が履歴記憶判定時間４１２を超えた場合には（ステップＳ５０５でＹＥＳ）、履歴記憶領域に現在視聴中の番組のチャンネルＢＳＤ０５が記憶され（ステップＳ５０７）、履歴記憶判定タイマがリセットされる（ステップＳ５０８）。この後、ステップＳ５０６へと進み、チャンネルＢＳＤ０５を視聴中である限り、ステップＳ５０５〜ステップＳ５０６のループを繰り返し、履歴記憶判定時間４１２を経過する度にステップＳ５０７及びステップ５０８の処理を通過し、履歴記憶領域に現在視聴中の番組のチャンネルＢＳＤ０５が記録され続ける。
【００４２】
上記ステップＳ５０６の判別の結果、チャンネルが変更された場合には、ステップＳ５０２に戻る。これは、例えば、ユーザが視聴中の番組に飽き、リモコン１０２のチャンネルアップボタン２０８を用いてザッピング操作を開始し、視聴中の番組のチャンネルがＢＳＤ０５からＢＳＤ０６へと変更された場合の処理に該当する。
【００４３】
ここで、ユーザがザッピング操作を実行し、チャンネルをＢＳＤ０５からＢＳＤ０８まで変更したが、視聴したいチャンネルを発見できず、最初に視聴し続けていた番組のチャンネルＢＳＤ０５に戻りたいと感じ、チャンネルＢＳＤ０８の視聴時間４１１（図４）が履歴記憶判定時間４１２を超えないうちにリモコン１０２の戻りボタン２１０を操作したとする。
【００４４】
この操作により図６に示す元チャンネル処理が開始される。
【００４５】
まず、履歴記憶領域に履歴情報としてチャンネル情報が記憶されているか否かを判別し（ステップＳ６０１）、チャンネル情報が記憶されていない場合、即ちＤＴＶ装置１０１の電源投入後、連続して長い時間視聴していた番組がない場合には、戻るべきチャンネルがないので、モニタ３１１の画面上に「履歴情報がありません。」との表示を一定時間表示し（ステップＳ６０２）、本処理を終了する。
【００４６】
一方、ステップＳ６０１の判別の結果、チャンネル情報が記憶されている場合には、当該チャンネル情報が読み込まれ（ステップＳ６０３）（本実施例ではチャンネルＢＳＤ０５が読み込まれる）、当該チャンネル情報が実際にＤＴＶ装置１０１の選択するチャンネルとして設定され（ステップＳ６０４）、当該チャンネル情報に対応する番組がモニタ３１１の画面上に表示され、本処理が終了する。
【００４７】
上述したように、本実施の形態によれば、所定時間を超えて視聴された番組のチャンネル情報（履歴情報）が記憶され、ユーザがザッピング操作を行った後、戻るボタンを押下すると、当該記憶されたチャンネル情報が実際にＤＴＶ装置１０１の選択するチャンネルとして設定され、当該チャンネル情報に対応する番組がモニタ３１１の画面上に表示されるので、ザッピング操作により、ユーザが複数回チャンネルを変更した後でも、ユーザが気になった番組のチャンネルに簡単な操作で素早く戻ることができ、番組の視聴中断を最小限に留め、所望の番組の視聴を続けることが可能となる。
【００４８】
本実施の形態においては、ザッピング操作におけるチャンネルの選局はリモコン１０２のチャンネルアップダウンボタン２０８を用いて行われたが、チャンネルの選局は他のいかなるチャンネル変更手段を用いても良く、例えば、プリセットボタン選局ができるリモコン１０２の１０キーボタン等を用いても構わないことは言うまでもない。
【００４９】
さらに、履歴記憶判定時間４１２は、常に予め定めた一定の値である必要はなく、ユーザの識別により切り替わる個人プロファイル情報と共に切り替わるものでも良い。この場合、個人プロファイル情報はＲＯＭ３１２又はＲＡＭ３１３に記憶され、リモコン１０２からの所定の入力を受けて、ＣＰＵ３１４がＲＯＭ３１２又はＲＡＭ３１３から該個人プロファイル情報を読み込むようにする。
【００５０】
また、履歴記憶判定時間４１２は、各チャンネルの視聴時間に基づいて相対的に変化するものでも構わない。この場合、ＣＰＵ３１４は戻りボタン２１０が押下されるまでの各チャンネルの視聴時間に基づいて履歴記憶判定時間４１２を決定する。
【００５１】
例えば、ユーザがザッピング操作の途中のチャンネルの番組に興味をもった場合、当該チャンネルの番組の視聴時間が多少長くなる場合が多い。このとき、ＣＰＵ３１４が履歴記憶判定時間４１２を最適な値に設定することで、即ち、通常のザッピング操作中における各チャンネルの視聴時間（図４ではチャンネルＢＳＤ０６の視聴時間４０９、チャンネルＢＳＤ０７の視聴時間４１０、及びチャンネルＢＳＤ０８の視聴時間４１１）よりも長く設定することで、上述のユーザが興味を持った番組のチャンネルをチャンネル情報として記憶することが可能であり、ザッピングの最中にユーザが興味を持った番組のチャンネルにより簡単に戻ることが可能となる。
【００５２】
（第２の実施の形態）
第１の実施の形態においては、履歴情報として１チャンネル分のチャンネル情報をＲＡＭ３１３（履歴記憶領域）に記憶したが、本実施の形態では、ＲＡＭ３１３に図７に示すようなテーブルを用意して、チャンネル情報を複数記憶することで、過去に視聴した複数の番組のチャンネル又はザッピング操作を一時中断した際のチャンネルの複数を記憶することが可能となる点で第１の実施の形態と異なる。
【００５３】
本実施の形態に係るＤＴＶ装置及びリモコンは、第１の実施の形態に係るものと同様なので、同一の番号を付し、これらの説明は省略する。尚、ＲＡＭ３１３に用意されるテーブルは履歴記憶テーブルという。
【００５４】
図７は履歴記憶テーブルの概略構成図である。
【００５５】
同図に示すように、履歴記憶テーブルは、履歴ＣＨ００〜履歴ＣＨ０７の８つの履歴記憶領域を備え、各履歴記憶領域には、履歴記録判定時間を超えて視聴された番組のチャンネル情報が入力される。履歴記憶テーブルが備える履歴記憶領域は８つに限られるものではない。また、履歴記憶テーブルの複数のチャンネル情報のうち選択するチャンネル情報はポインタ（不図示）で指し示される。
【００５６】
図８は、ユーザがザッピング操作（チャンネルをリモコンで次々に変える操作）を実行したときに、各チャンネルに対応する映像例と各チャンネルの視聴時間との関係を模式的に示す図である。より具体的には、図８はユーザがザッピング操作を開始し、チャンネルを変えようとする時点で見ていた番組のチャンネルＢＳＤ０５から、リモコン１０２のチャンネルアップダウンボタン２０８のチャンネルアップボタンを操作することにより、チャンネルＢＳＤ０６、チャンネルＢＳＤ０７、チャンネルＢＳＤ０８へとチャンネルを移動する様子をＤＴＶ装置１０１の画面を用いて示したものである。
【００５７】
同図において、符号８０１は今までユーザが視聴していた番組画面を示しており、符号８０２〜８０４は、ユーザのザッピング操作によりチャンネルが変更された際の夫々の番組画面を示している。符号８０５〜８０８はユーザが夫々のチャンネルにおいて視聴した視聴時間を模式的に示したものである。また、符号８０９は符号８０５〜８０８と同じスケールで表された履歴記憶判定時間を模式的に示している。この時、チャンネルＢＳＤ０７における視聴時間８０７は履歴記憶判定時間８０９よりも長い時間となっている。符号８１０，８１１は履歴記憶テーブルに記憶されたチャンネルＢＳＤ０７、チャンネルＢＳＤ０５の番組画面を示している。
【００５８】
次に、ＤＴＶ装置１０１が実行する履歴記憶タスク処理及び所望のチャンネルに戻るための元チャンネル処理を説明する。これらの処理は主として、ＲＯＭ３１２に記憶されたプログラムをＣＰＵ３１４が実行することでなされる。
【００５９】
図９，１０はＤＴＶ装置１０１が実行する履歴記憶タスク処理を示すフローチャートであり、図１１はＤＴＶ装置１０１が実行する所望のチャンネルに戻るための元チャンネル処理を示すフローチャートである。これらの処理は、ＤＴＶ装置１０１の起動時からバックグラウンドで常に実行可能になっている。
【００６０】
まず、ユーザがリモコン１０２の電源スイッチを操作し、図８の符号８０１で示すように、チャンネルＢＳＤ０５（尚、このチャンネル番号は一例にすぎない。）において、番組の視聴を開始すると、リモコン１０２の電源スイッチの操作と共に本処理がスタートし、履歴記憶テーブルのチャンネル情報がクリアされる（ステップＳ９０１）。このチャンネル情報は本処理のリセットがかかるまで履歴記憶テーブルに記憶される。
【００６１】
次いで、現在視聴中の番組のチャンネル情報、即ちＢＳＤ０５が取得され（ステップＳ９０２）、履歴記憶判定タイマがリセットされ（ステップＳ９０３）、履歴記憶判定タイマがスタートされる（ステップＳ９０４）。
【００６２】
次に、履歴記憶判定タイマの計数値が一定時間、ここでは、図８の履歴記録判定時間８０９（例えば３０秒間）を超えたか否かが判別され（ステップＳ９０５）、番組の視聴が開始されたばかりの場合は、履歴記録判定時間を超えないため、ステップＳ９１４に進み、チャンネルが変更されたか否かが判別される（ステップＳ９１４）。
【００６３】
ステップＳ９１４の判別の結果、チャンネルが変更されていない場合、即ち、引き続きチャンネルＢＳＤ０５の番組が視聴されている場合は、ステップＳ９０５に戻る。つまり、同じチャンネルの番組が視聴されている場合には、ステップＳ９０５及びステップＳ９１４の判別を繰り返し、チャンネルＢＳＤ０５の視聴時間８０５が履歴記憶判定時間８０９を超えた場合には（ステップＳ９０５でＹＥＳ）、履歴記憶テーブルの履歴ＣＨ００領域にチャンネル情報が存在するか否かを判別する（ステップＳ９０６）。
【００６４】
ステップＳ９０６の判別の結果、履歴記憶テーブルの履歴ＣＨ００領域にチャンネル情報が存在しない場合、例えばＤＴＶ装置１０１の電源投入時の場合は、現在視聴中の番組のチャンネル情報（チャンネルＢＳＤ０５）が履歴ＣＨ００領域に記憶され（ステップＳ９１２）、履歴記憶テーブルは図７（Ａ）に示す状態となる。次いで、履歴記憶判定タイマがリセットされ（ステップＳ９１３）、ステップＳ９１４に進む。
【００６５】
上記ステップＳ９０６の判別の結果、履歴記憶テーブルの履歴ＣＨ００領域にチャンネル情報が存在する場合には、履歴ＣＨ００領域のチャンネル情報と現在視聴中の番組のチャンネル情報とが同一であるか否かが判別され（ステップＳ９０７）、履歴ＣＨ００領域のチャンネル情報と現在視聴中の番組のチャンネル情報とが同一である場合には、ステップＳ９１３に進む一方、履歴ＣＨ００領域のチャンネル情報と現在視聴中の番組のチャンネル情報とが同一でない場合には、履歴記憶テーブルをスキャンする（ステップＳ９０８）。
【００６６】
次に、履歴記憶テーブルの履歴ＣＨ００領域〜履歴ＣＨ０７領域に現在視聴中の番組のチャンネル情報が既に記憶されているか否かを判別する（ステップＳ９０９）。
【００６７】
ステップＳ９０９の判別の結果、現在視聴中の番組のチャンネル情報が既にいずれかの領域に記憶されている場合には、同一のチャンネル情報を複数記憶する必要はないので、既に記憶されている、現在視聴中の番組のチャンネル情報と同一のチャンネル情報を削除し（ステップＳ９１０）、履歴ＣＨ００領域が空くように、各履歴記憶領域に記憶されたチャンネル情報を一つずつシフトする（ステップＳ９１１）。例えば、履歴ＣＨ０１領域に記憶されたチャンネル情報が削除された場合は、履歴ＣＨ００領域に記憶されたチャンネル情報は履歴ＣＨ０１領域にシフトする。そして、現在視聴中の番組のチャンネル情報を履歴ＣＨ００領域に記憶する（ステップＳ９１２）。
【００６８】
上記ステップＳ９０９の判別の結果、現在視聴中の番組のチャンネル情報がいずれの領域にも記憶されていない場合には、ステップＳ９１１に進み、履歴ＣＨ００領域が空くように、各履歴記憶領域に記憶されたチャンネル情報を一つずつシフトする。
【００６９】
上記ステップＳ９１４の判別の結果、チャンネルが変更された場合には、ステップＳ９０２の処理に戻る。これは、例えば、ユーザが視聴中の番組に飽き、リモコン１０２のチャンネルアップボタン２０８を用いてザッピング操作を開始し、視聴中のチャンネルがＢＳＤ０５からＢＳＤ０６へと変更された場合の処理に該当する。
【００７０】
ユーザがザッピング操作を実行しているときには、ステップＳ９０２〜ステップＳ９１４の処理が繰り返し行われる。図８の例では、チャンネルＢＳＤ０５の視聴時間８０５及びチャンネルＢＳＤ０７の視聴時間８０７が履歴記憶判定時間８０９を超えているので、これらのチャンネル情報（チャンネルＢＳＤ０５、チャンネルＢＳＤ０７）が履歴記憶テーブルに記憶される。このときの履歴記憶テーブルの構成を示したのが図７（Ｂ）である。
【００７１】
ここで、ユーザがザッピング操作を実行し、チャンネルをＢＳＤ０５からＢＳＤ０８まで変更したが、視聴したいと思われるチャンネルを発見できず、ザッピング操作の途中で気になったチャンネルＢＳＤ０７、又は最初に視聴し続けていたチャンネルＢＳＤ０５に戻りたいと感じ、チャンネルＢＳＤ０８の視聴時間９０８が履歴記憶判定時間９０９を超えないうちにリモコン１０２の戻りボタン２１０を操作したとする。
【００７２】
この操作により図１１に示す元チャンネル処理が開始される。
まず、履歴記憶テーブルの履歴記憶領域にチャンネル情報が記憶されているか否かを判別し（ステップＳ１００１）、チャンネル情報が記憶されていない場合、即ちＤＴＶ装置１０１の電源投入後、連続して長い時間視聴していた番組がない場合には、戻るべきチャンネルがないので、モニタ３１１の画面上に「履歴情報がありません。」との表示を一定時間表示し（ステップＳ１０１１）、通常のチャンネルアップまたはチャンネルダウンによるチャンネル選択処理を実行可能とし（ステップＳ１０１２）、本処理を終了する。尚、通常のチャンネルアップまたはチャンネルダウンによるチャンネル選択処理とは、ボタンを押している間チャンネルを順次変化させる処理や、自動で所定時間ごとにチャンネルを変更してスキャンしていくような処理である。
【００７３】
一方、ステップＳ１００１の判別の結果、チャンネル情報が記憶されている場合には、現在視聴中の番組のチャンネル情報（ＢＳＤ０８）を取得し（ステップＳ１００２）、現在視聴中の番組のチャンネル情報が履歴記憶テーブルの履歴ＣＨ００領域に記憶されたチャンネル情報と同一であるか否かを判別する（ステップＳ１００３）。
【００７４】
ステップＳ１００３の判別の結果、現在視聴中の番組のチャンネル情報が履歴記憶テーブルの履歴ＣＨ００領域に記憶されたチャンネル情報と同一でない場合には、履歴記憶テーブルをスキャンし（ステップＳ１００４）、履歴記憶テーブルの中に現在視聴中の番組のチャンネル情報が記憶されているか否かを判別する（ステップＳ１００５）。
【００７５】
ステップＳ１００５の判別の結果、履歴記憶テーブルの中に現在視聴中の番組のチャンネル情報が記憶されている場合には、現在視聴中の番組のチャンネル情報が記憶されている履歴記憶領域にポインタをシフトし（ステップＳ１００６）、ポインタが指す履歴記憶領域に記憶されているチャンネル情報を読み込み（ステップＳ１００７）、当該チャンネル情報が実際にＤＴＶ装置１０１の選択するチャンネルとして設定され（ステップＳ１００８）、当該チャンネル情報に対応する番組がモニタ３１１の画面上に表示される。そして、履歴記憶領域を指すポインタを１つシフトして（ステップＳ１００９）、本処理を終了する。
【００７６】
上記ステップＳ１００３の判別の結果、現在視聴中の番組のチャンネル情報が履歴記憶テーブルの履歴ＣＨ００領域に記憶されたチャンネル情報と同一である場合には、履歴ＣＨ００領域を指すようにポインタを移動し（ステップＳ１０１０）、ステップＳ１００７に進む。また、上記ステップＳ１００５の判別の結果、履歴記憶テーブルの中に現在視聴中の番組のチャンネル情報が記憶されていない場合には、ステップＳ１００７に進む。
【００７７】
上記元チャンネル処理を実行することにより、ザッピング操作の途中で気になったチャンネルＢＳＤ０７、又は最初に視聴し続けていたチャンネルＢＳＤ０５に戻ることができる。
【００７８】
上述したように、本実施の形態によれば、過去に視聴していた複数の番組のチャンネル情報、及び、ザッピングの途中で興味を持った複数の番組のチャンネル情報を履歴記憶テーブルに記憶しておくことができる。そして、所定時間を超えて視聴された番組のチャンネル情報（履歴情報）が複数記憶され、ユーザがザッピング操作を行った後、戻るボタンを押下すると、当該記憶されたチャンネル情報が実際にＤＴＶ装置１０１の選択するチャンネルとして設定され、当該チャンネル情報に対応する番組がモニタ３１１の画面上に表示されるので、ザッピング操作により、ユーザが複数回チャンネルを変更した後でも、ユーザが気になった複数の番組のチャンネルに簡単な操作で素早く戻ることができ、番組の視聴中断を最小限に留め、所望の番組の視聴を続けることが可能となる。
【００７９】
（第３の実施の形態）
第１及び第２の実施の形態においては、特定のチャンネルの番組における視聴時間が所定時間を超えることを検出することで、ユーザが当該番組に何らかの興味を持って視聴をしていたと判定し、該番組のチャンネル情報を記憶していたが、第３の実施の形態では、特定のチャンネルの番組における視聴時間から当該チャンネルのコマーシャルの視聴時間を除く点で第１及び第２の実施の形態と異なる。
【００８０】
本実施の形態に係るＤＴＶ装置及びリモコンは、第１の実施の形態に係るものと同様なので、同一の番号を付し、これらの説明は省略する。
【００８１】
図１２は、ユーザがザッピング操作（チャンネルをリモコンで次々に変える操作）を実行したときに、各チャンネルに対応する映像例と各チャンネルの視聴時間との関係を模式的に示す図である。より具体的には、図１２はユーザがザッピング操作を開始し、チャンネルを変えようとする時点で見ていた番組のチャンネルＢＳＤ０５から、リモコン１０２のチャンネルアップダウンボタン２０８のチャンネルアップボタンを操作することにより、チャンネルＢＳＤ０６、チャンネルＢＳＤ０７、チャンネルＢＳＤ０８へとチャンネルを移動する様子をＤＴＶ装置１０１の画面を用いて示したものである。
【００８２】
同図において、符号１２０１は今までユーザが視聴していた番組画面を示しており、符号１２０２〜１２０４は、ユーザのザッピング操作によりチャンネルが変更された際の夫々の番組画面を示している。符号１２０５〜１２０８はユーザが夫々のチャンネルにおいて視聴した視聴時間を模式的に示したものである。また、符号１２０９は符号１２０５〜１２０８と同じスケールで表された履歴記憶判定時間を模式的に示しており、符号１２１０は符号１２０５〜１２０８と同じスケールで表されたＣＭ視聴時間を模式的に示している。この時、チャンネルＢＳＤ０７におけるＣＭ視聴時間１２１０を除いた視聴時間１２０７は、履歴記憶判定時間１２０９よりも短い時間となっている。符号１２１１は履歴記憶テーブルに記憶されたチャンネルＢＳＤ０５の番組画面を示している。
【００８３】
図１３はＤＴＶ装置１０１が実行する履歴記憶タスク処理を示すフローチャートであり、図９，１０の履歴記憶タスク処理を示すフローチャートの一部の処理のみが異なる。図９，１０と同一の処理は同一の番号・符号を付し、これらの説明は省略し、異なる処理のみを説明する。
【００８４】
ステップＳ９０４で、履歴記憶判定タイマがスタートされた後、視聴中の番組がＣＭ（コマーシャル）中であるか否かを判別し（ステップＳ１３０１）、視聴中の番組がＣＭ中である場合には、履歴記憶判定タイマを停止し（ステップＳ１３０２）、ステップＳ９０５の判別処理を実行する一方、視聴中の番組がＣＭ中でない場合には、履歴記憶判定タイマの停止を解除し（ステップＳ１３０３）、ステップＳ９０５の判別処理を実行する。ステップＳ９１４の判別の結果、チャンネルが変更されていない場合は、ステップＳ１３０１に戻る。
【００８５】
上述したように、本実施の形態によれば、視聴中の番組がＣＭ中である場合には、履歴記憶判定タイマを停止し視聴時間に含めないので、コマーシャルの視聴時間を含めたために番組の視聴時間が長くなり、当該番組をユーザが興味を持って見ていたと誤って判定することを防止することが可能となる。よって、より正確にユーザの望むチャンネルへと戻ることが可能となる。
【００８６】
上記第１〜第３の実施の形態では、特定の番組を見ている視聴時間が所定時間を超えることを検出することで、ユーザが何らかの興味を持って番組を視聴をしたと判定し、視聴の履歴（チャンネル情報）を記憶していたが、図１４に示すように、チャンネルアップダウンボタン２０８で次々にチャンネルを切り替えた際に（ＢＳＤ０５→ＢＳＤ０６→ＢＳＤ０７→ＢＳＤ０８→ＢＳＤ０９）、途中のチャンネルで放送中の番組のジャンル及びサブジャンルをそのチャンネル情報と共に履歴記憶テーブルに記録し、例えば、スポーツジャンルの野球サブジャンルの番組を視聴中に、リモコン１０２の特定のボタン（例えば、図１５に示す元ジャンルボタン）を押すことで、当該ボタンを押した時点で視聴していた番組と同じジャンル及びサブジャンルの番組を履歴記憶テーブルより検索し、当該番組のチャンネルに切り替えるようにしてもよい。これにより、図１５に示すように、例えば、スポーツジャンルの野球サブジャンルからなる番組に戻って視聴することが可能となる。また、さらに、リモコン１０２の特定のボタンを押すたびに、再び同じ動作を繰り返すことで、同一ジャンルの番組に戻る機能を続けて実現することができる。
【００８７】
ＤＴＶ装置１０１をこの様な構成にすることで、ユーザが一度見つけた興味ある番組について、他の同じジャンルの番組を容易に見比べることができ、よりユーザの見たい番組をユーザに選択させることが可能となる。
【００８８】
また、過去にチャンネルを変更して視聴してきた番組について、そのジャンル及びサブジャンルを履歴記憶テーブルに記録し、検索の際にその履歴記憶テーブルを参照したが、ユーザが過去にそのチャンネルを視聴していない場合でも、リモコン１０２の「同一ジャンルの番組に戻る」ボタン（不図示）を初めて押した時点で視聴していた番組のジャンル及びサブジャンルの情報より、予めＤＴＶ装置１０１に蓄積されている番組サービス情報を基に、検索を行うことで、同じジャンル及びサブジャンルの新たな番組についても発見することが容易となり、より快適に見たいチャンネルを発見することが可能となる。
【００８９】
上記実施の形態の例においては、リモコン１０２のボタン操作により何らかの履歴情報に基づいて元のチャンネルやジャンルに戻る操作を行ったが、リモコン１０２に新たなボタンを設け、このボタンを元のチャンネルやジャンルを行き来するための「先に進むボタン」としても良い。
【００９０】
この様な構成にすることで、一度戻る操作をした直後に、戻す前のチャンネルに戻りたい場合に、戻る操作を何度か繰り返して戻らなくても、先に進むボタンの少ない操作により前のチャンネルに戻ることが可能となり、より快適な操作が可能となる。
【００９１】
上記実施の形態においては、チャンネル情報（履歴情報）を記録するために、当該チャンネルを変化させない時間を視聴時間として、その長さが一定の時間を超えたものを選択して記録していたが、ＤＴＶ装置１０１の機能として、一定時間毎にチャンネルを切り替え、ユーザに順次チャンネルの内容を表示する自動ザッピング機能がついたＤＴＶ装置に関しては、当該自動ザッピング機能が作用中であるときに、選択されているチャンネルについて、本発明によるリモコン１０２の戻りボタンで参照可能とするための、先のチャンネル情報（履歴情報）に記録するための記録ボタンを設け、気になるチャンネルについては、該記録ボタンを押下することで逐次チャンネル情報を記録し、後に、リモコン１０２の戻りボタンで簡単に呼び戻せるようにすることで、少ない操作でユーザがザッピングの最中に気になったチャンネルに簡単に戻ることが可能となる。
【００９２】
さらに、先の気になるチャンネルについての記録操作が一通り完了した時点で、リモコン１０２の操作により、履歴記憶テーブルに蓄積されたチャンネル情報について、一定の時間毎に、当該蓄積されたチャンネルを選局し、順次、切り替えて選局、表示する手段を設けることで、ユーザは、さらに自分の見たいチャンネルについて絞り込みを行うことが可能となる。
【００９３】
また、気になるチャンネルについて、順次選局して視聴することで、擬似的に、多チャンネルについての同時視聴も可能となり、他チームの結果が気になるスポーツ番組なども、快適に視聴することが可能となる。
【００９４】
本発明は、上述した実施の形態の機能を実現するソフトウェアのプログラムをコンピュータ又は制御部（具体的にはＣＰＵ）に供給し、そのコンピュータ又はＣＰＵが該供給されたプログラムを読出して実行することによっても本発明の目的が達成されることは云うまでもない。
【００９５】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００９６】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００９７】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００９８】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【図面の簡単な説明】
【００９９】
【図１】本発明の第１の実施の形態に係るＤＴＶ装置の概略図である。
【図２】図１におけるリモコン１０２の概略構成を示す図である。
【図３】図１におけるＤＴＶ装置１０１の内部構成を示すブロック図である。
【図４】ユーザがザッピング操作（チャンネルをリモコンで次々に変える操作）を実行したときに、各チャンネルに対応する映像例と各チャンネルの視聴時間との関係を模式的に示す図である。
【図５】ＤＴＶ装置１０１が実行する履歴記憶タスク処理を示すフローチャートである。
【図６】ＤＴＶ装置１０１が実行する所望のチャンネルに戻るための元チャンネル処理を示すフローチャートである。
【図７】第２の実施形態に係る履歴記憶テーブルの概略構成図であり、（Ａ）は履歴記憶テーブルの履歴ＣＨ００領域にチャンネル情報が存在しない場合に、現在視聴中の番組のチャンネル情報（チャンネルＢＳＤ０５）が履歴ＣＨ００領域に記憶されたときの履歴記憶テーブルを示し、（Ｂ）は履歴記憶判定時間８０９を超えて視聴されたチャンネルＢＳＤ０５及びチャンネルＢＳＤ０７のチャンネル情報（ＢＳＤ０５、ＢＳＤ０７）が登録された履歴記憶テーブルを示す。
【図８】ユーザがザッピング操作（チャンネルをリモコンで次々に変える操作）を実行したときに、各チャンネルに対応する映像例と各チャンネルの視聴時間との関係を模式的に示す図である。
【図９】ＤＴＶ装置１０１が実行する履歴記憶タスク処理を示すフローチャートである。
【図１０】ＤＴＶ装置１０１が実行する履歴記憶タスク処理を示すフローチャートである。
【図１１】ＤＴＶ装置１０１が実行する所望のチャンネルに戻るための元チャンネル処理を示すフローチャートである。
【図１２】ユーザがザッピング操作（チャンネルをリモコンで次々に変える操作）を実行したときに、各チャンネルに対応する映像例と各チャンネルの視聴時間との関係を模式的に示す図である。
【図１３】ＤＴＶ装置１０１が実行する履歴記憶タスク処理の一部を示すフローチャートである。
【図１４】チャンネルアップダウンボタン２０８でザッピング操作を実行したときのチャンネルの切り替わる様子を示す図である。
【図１５】元ジャンルボタンを押下することで、当該ボタンを押した時点で視聴していた番組と同じジャンル及びサブジャンルの番組を履歴記憶テーブルより検索し、当該番組のチャンネルに切り替える様子を示した図である。
【図１６】ＤＴＶ装置のチャンネル選局手段の一つとして用いられる電子プログラムガイド（ＥＰＧ）の構成を示す図である。
【図１７】番組画面と番組リストとを同時に表示するＤＴＶ装置のチャンネル選局手段の例を示す図である。
【符号の説明】
【０１００】
１０１  ＤＴＶ装置
１０２  リモコン
２０８  チャンネルアップダウンボタン
２０９  音量アップダウンボタン
２１０  戻りボタン
３０１  アンテナ
３０２  チューナ
３０３  復調回路
３０４  ＴＳデコーダ回路
３０５  映像デコーダ回路
３０６  音声デコーダ回路
３０７  データ放送デコーダ回路
３０８  ＯＳＤ回路
３１２  ＲＯＭ
３１３  ＲＡＭ
３１４  ＣＰＵ
【図１】
2005124104.tif 000003
【図２】
2005124104.tif 000004
【図３】
2005124104.tif 000005
【図４】
2005124104.tif 000006
【図５】
2005124104.tif 000007
【図６】
2005124104.tif 000008
【図７】
2005124104.tif 000009
【図８】
2005124104.tif 000010
【図９】
2005124104.tif 000011
【図１０】
2005124104.tif 000012
【図１１】
2005124104.tif 000013
【図１２】
2005124104.tif 000014
【図１３】
2005124104.tif 000015
【図１４】
2005124104.tif 000016
【図１５】
2005124104.tif 000017
【図１６】
2005124104.tif 000018
【図１７】
2005124104.tif 000019